(57)【要約】【課題】  異常な温度上昇に因る誤作動、データの損失、故障、寿命の短命化に対する対策が講じられたＰＯＳ端末を提供する。【解決手段】  ＰＯＳ端末２０の所定箇所の温度を検出する温度センサ２６を有している。温度センサ２６の検出結果が第１のしきい値を超えた場合に、注意メッセージと現在温度を表示部２４で表示し、かつ、温度センサ２６の検出結果が第１のしきい値よりも高い第２のしきい値を超えた場合に、ＰＯＳ端末２０の電源を切ることをユーザに促す警告メッセージと現在温度を表示部２４で表示すると共に、印刷部２５で印刷出力する。【選択図】  図１
2008186387.tif 000002
【特許請求の範囲】
【請求項１】
表示部と、印刷部とを有するＰＯＳ端末において、
前記ＰＯＳ端末の所定箇所の温度を検出する温度センサを有し、
前記温度センサの検出結果が第１のしきい値を超えた場合に、注意メッセージと現在温度を前記表示部で表示し、かつ、
前記温度センサの検出結果が前記第１のしきい値よりも高い第２のしきい値を超えた場合に、前記ＰＯＳ端末の電源を切ることをユーザに促す警告メッセージと現在温度を前記表示部で表示すると共に、前記印刷部で印刷出力することを特徴とするＰＯＳ端末。
【請求項２】
警告メッセージを前記表示部で表示すると共に前記印刷部で印刷出力した後、所定時間経過しても該ＰＯＳ端末の電源が切られない場合に、自動的に電源を切ると共に、その旨を前記印刷部で印刷出力する請求項１に記載のＰＯＳ端末。
【請求項３】
記憶部をさらに有し、前記温度センサの検出結果を温度ログとして前記記憶部に記憶する請求項１または２に記載のＰＯＳ端末。
【請求項４】
前記記憶部に記憶した温度ログを前記印刷部で印刷出力する請求項３に記載のＰＯＳ端末。
【請求項５】
前記ＰＯＳ端末の電源が入っており、かつ、１会計処理毎に温度検出を行う請求項１乃至４のいずれか１つに記載のＰＯＳ端末。
【請求項６】
前記ＰＯＳ端末の電源が入っており、かつ、所定時間毎に温度検出を行う請求項１乃至５のいずれか１つに記載のＰＯＳ端末。
【請求項７】
ＰＯＳホストと、該ＰＯＳホストに接続された請求項１乃至６のいずれか１つに記載の前記ＰＯＳ端末とを有することを特徴とするＰＯＳシステム。
【発明の詳細な説明】
【技術分野】
【０００１】
本発明は、稼働に伴って発熱する電子機器に関し、特に、ＰＯＳ（Point Of Sale）システムに適用されるＰＯＳ端末に関する。
【背景技術】
【０００２】
ＰＯＳ端末は、近年益々高機能化しているが、これに相反して、筐体サイズは年々小型化する傾向にある。また、端末を設置するスペースも、省スペース化している。
【０００３】
ところで、ＰＯＳ端末は、コンピュータ全般と同様に、ＣＰＵ（中央制御部）、電源部、あるいはチョークコイル等の大きな電流が流され得る部品を有しているため、稼動に伴って発熱する。ＰＯＳ端末が異常温度となった場合には、誤作動、データの損失、故障、寿命の短命化を引き起こす。
【０００４】
ＰＯＳ端末の異常な温度上昇の原因としては、ＰＯＳ端末がおかれる環境の気温上昇だけではなく、周囲から侵入した塵埃等が堆積して吸排気口などを塞ぐことなどもある。特に、ＰＯＳ端末は、通常の情報処理機器に比べて、気温や塵埃に関して過酷な環境下におかれることが多いため、異常な温度上昇におちいるリスクも高い。
【０００５】
従来、ＰＯＳ端末の異常な温度上昇に因る誤作動、データの損失、故障、寿命の短命化に対する対策としては、吸排気口への塵埃等の侵入や堆積を防ぐ工夫、高温でも誤作動や故障を起こし難いように高温に耐え得る仕様の部品を用いることなどが行われていたが、万全なる対策とは言い難かったり、また、コスト／パフォーマンス比の点で問題があった。
【０００６】
尚、ＰＯＳ端末の異常な温度上昇に因る誤作動、データの損失、故障、寿命の短命化に対する上記以外の対策は従来とられていなかったが、コンピュータ類についてのそのような事象に対する上記以外の対策は、例えば、特許文献１〜３に開示されている。また、コンピュータの特にＣＰＵには、温度センサによってＣＰＵの温度を監視し、監視結果に応じてＣＰＵの冷却ファンの動作を制御する機能を有するものがある。
【０００７】
【特許文献１】特開２０００−２１４１１７号公報
【特許文献２】特開平９−２１２２３３号公報
【特許文献３】特開平１０−１１６８１号公報
【発明の開示】
【発明が解決しようとする課題】
【０００８】
本発明の課題は、異常な温度上昇に因る誤作動、データの損失、故障、寿命の短命化に対する対策が講じられたＰＯＳ端末を提供することである。
【課題を解決するための手段】
【０００９】
本発明によれば、表示部と、印刷部とを有するＰＯＳ端末において、前記ＰＯＳ端末の所定箇所の温度を検出する温度センサを有し、前記温度センサの検出結果が第１のしきい値を超えた場合に、注意メッセージと現在温度を前記表示部で表示し、かつ、前記温度センサの検出結果が前記第１のしきい値よりも高い第２のしきい値を超えた場合に、前記ＰＯＳ端末の電源を切ることをユーザに促す警告メッセージと現在温度を前記表示部で表示すると共に、前記印刷部で印刷出力することを特徴とするＰＯＳ端末が得られる。
【００１０】
前記ＰＯＳ端末は、警告メッセージを前記表示部で表示すると共に前記印刷部で印刷出力した後、所定時間経過しても該ＰＯＳ端末の電源が切られない場合に、自動的に電源を切ると共に、その旨を前記印刷部で印刷出力するものであってもよい。
【００１１】
前記ＰＯＳ端末は、記憶部をさらに有し、前記温度センサの検出結果を温度ログとして前記記憶部に記憶するものであってもよい。
【００１２】
前記ＰＯＳ端末は、前記記憶部に記憶した温度ログを前記印刷部で印刷出力するものであってもよい。
【００１３】
前記ＰＯＳ端末は、前記ＰＯＳ端末の電源が入っており、かつ、１会計処理毎に温度検出を行うものであってもよい。
【００１４】
前記ＰＯＳ端末は、前記ＰＯＳ端末の電源が入っており、かつ、所定時間毎に温度検出を行うものであってもよい。
【００１５】
本発明によればまた、ＰＯＳホストと、該ＰＯＳホストに接続された前記ＰＯＳ端末とを有することを特徴とするＰＯＳシステムが得られる。
【発明の効果】
【００１６】
本発明によるＰＯＳ端末は、異常な温度上昇に因る誤作動、データの損失、故障、寿命の短命化に対する対策が講じられている。
【００１７】
より具体的には、本発明によるＰＯＳ端末は、以下のような効果を奏する。
【００１８】
深刻な温度の際に強制的にシャットダウンを行うことにより、熱暴走による端末データの破壊や機械故障を防ぐことが可能となる。
【００１９】
ＰＯＳ端末の故障やデータ損失をアプリケーションによって最小限に抑えることが可能となる。
【００２０】
解析用温度ログを用いてＰＯＳ端末の温度変化を解析することが可能になり、設置環境や操作方法などの問題点を改善するのに有用である。
【００２１】
第１および第２のしきい値を設けることにより、注意を要するが深刻な温度ほどではない場合には強制シャットダウンされることがなく、ユーザに改善の猶予が与えられる。
【００２２】
注意や警告メッセージなどを画面表示することにより、状況把握を容易とし、改善を促すことが可能となる。
【００２３】
注意や警告メッセージなどを印刷出力することにより、そのＰＯＳ端末に直接関わるユーザだけではなく、管理責任者や保守担当者に正確な情報を伝えることが可能となる。
【００２４】
ユーザに現在温度をリアルタイムで知らせることも可能である。
【発明を実施するための最良の形態】
【００２５】
以下、本発明によるＰＯＳ端末の実施形態について、図面を参照して詳細に説明する。
【００２６】
図１を参照すると、本実施形態によるＰＯＳ端末２０は、ＰＯＳホスト１０とネットワークを介して接続されており、ＰＯＳホスト１０とＰＯＳ端末２０とにより、ＰＯＳシステムが構成されている。
【００２７】
図１を参照すると、ＰＯＳ端末２０は、オペレーションシステムにしたがって動作するＣＰＵ（Central Processing Unit）を含む制御部２１と、半導体メモリやハードディスクドライブなどにより構成された記憶部２３と、液晶ディスプレイ等の表示部２４と、レシート等を印刷するためのプリンタである印刷部２５と、ＰＯＳ端末２０の所定箇所の温度を検出する温度センサ２６とを有している。尚、図中の符号２２は、制御部２１のＣＰＵに付随するメモリを示す。
【００２８】
温度センサ２６は、ＰＯＳ端末２０の図示しない筐体内に設置されている。例えば、ＣＰＵや電源部等の発熱源とはある程度離れており、筐体内全体の温度を検知し得るような箇所に温度センサ２６は設置される。温度センサ２６は、一箇所に限らず、複数箇所に設置されてもよい。
【００２９】
温度センサ２６による温度検出のタイミングは、制御部２１が司るが、例えば、ＰＯＳ端末の電源が入っており、かつ、１会計処理毎に温度検出を行う。また、無操作時には、所定時間毎に温度検出を行う。
【００３０】
制御部２１は、温度センサ２６の検出結果が第１のしきい値を超えた場合に、注意メッセージと現在温度を表示部２４で表示する。第１のしきい値は、温度センサ２６の設置箇所に応じて、ＰＯＳ端末２０の通常稼動時の温度よりも高いものの、その温度でかなりの長時間稼動させなければ不具合が生ずることのないような温度に設定される。
【００３１】
制御部２１はさらに、温度センサ２６の検出結果が第１のしきい値よりも高い第２のしきい値を超えた場合に、ＰＯＳ端末２０の電源を切ることをユーザに促す警告メッセージと現在温度を表示部２４で表示すると共に、印刷部２５で印刷出力する。第２のしきい値は、温度センサ２６の設置箇所に応じて、第１のしきい値よりも高く、その温度で稼動を続けた場合に不具合が生ずる可能性が高いような温度に設定される。
【００３２】
警告メッセージを表示部２４で表示すると共に印刷部２５で印刷出力した後、所定時間経過してもＰＯＳ端末２０の電源が切られない場合に、制御部２１は、自動的に電源を切ると共に、その旨を印刷部２５で印刷出力する。
【００３３】
温度センサ２６の検出結果は、温度ログとして、制御部２１が記憶部２３に記憶する。
【００３４】
制御部２１は、記憶部２３に記憶した温度ログを、ユーザの指示に応じて印刷部２５で印刷出力する。
【００３５】
次に、図２および図３を参照して、ＰＯＳ端末２０の動作を説明する。
【００３６】
ＰＯＳ端末２０の電源が入れられると、ステップＳ１において、制御部２１は、１会計動作毎ならびに無操作時には５分間隔で、温度センサ２６によって温度を検出する。
【００３７】
ステップＳ２において、制御部２１は、ステップＳ１で検出した温度を表示部２４によって表示させると共に、記憶部２３に温度ログとして記憶させる。このログは、例えば過去３０日分が記憶部２３に記憶される。
【００３８】
ステップＳ３において、制御部２１は、ステップＳ１で検出した温度を、記憶部２３に予め記憶している第１のしきい値と比較する。比較の結果、検出した温度が第１のしきい値以下であれば、ステップＳ１に戻る。一方、検出した温度が第１のしきい値よりも大きければ、ステップＳ４に移行する。
【００３９】
ステップＳ４において、制御部２１は、検出した温度を、記憶部２３に予め記憶している第２のしきい値と比較する。比較の結果、検出した温度が第２のしきい値以下であればステップＳ５に移行する一方、検出した温度が第２のしきい値よりも大きければステップＳ６に移行する。
【００４０】
ステップＳ５において、制御部２１は、検出した温度が第１のしきい値よりも大きく、第２のしいき値以下であることから、要注意温度として、図４に示すように、注意メッセージとその温度とを、表示部２４に表示させ、ユーザに注意を喚起する。この後、ステップＳ１に戻る。
【００４１】
ステップＳ６において、制御部２１は、検出した温度が第２のしきい値よりも大きいことから、深刻な温度として、図５に示すように、警告メッセージとその温度とを、表示部２４に表示させ、ユーザにＰＯＳ端末２０の電源をシャットダウンし、点検等を実行するように促す。
【００４２】
ステップＳ７において、制御部２１は、検出した温度が第２のしきい値よりも大きいことから、深刻な温度として、図６に示すように、異常温度発生の旨とその温度とを、印刷部２５に印刷出力させ、ユーザにＰＯＳ端末２０の電源をシャットダウンし、点検等を実行するように、画面表示に加えて促す。この印刷物は、後の修理や保守の参考にもなる。
【００４３】
ステップＳ８において、制御部２１は、ユーザによって図示しないシャットダウンボタン（ＰＯＳ端末２０の電源を切るためのボタン）が押下されたかどうかを判別する。判別の結果、押下されなければステップＳ９に移行する一方、押下されればステップＳ１０に移行する。
【００４４】
ステップＳ９において、制御部２１は、無操作時間が５分経過すると、自動的にＰＯＳ端末２０の電源をシャットダウン起動する。
【００４５】
ステップＳ１０において、制御部２１は、ＰＯＳ端末２０の電源をシャットダウンする。尚、ステップＳ９の自動的なシャットダウン起動を経てシャットダウンした場合には、その旨をユーザに知らせる画面表示や印刷出力をしてもよい。
【００４６】
図７は、ステップＳ２で記憶された温度ログの例である。制御部２１は、ボタン操作等によるユーザの要求に応じて、温度ログを表示部２４によって表示したり、印刷部２５によって印刷出力することが可能である。あるいは、ホスト１０や外部ネットワークを介したパーソナルコンピュータや携帯電話機等にデータ送信することも可能である。この温度ログを解析することで、故障原因を探求したり、点検や清掃のタイミングなどを最適な時期に行うことで対処できるようになる。
【産業上の利用可能性】
【００４７】
以上説明した実施例に限定されることなく、本発明は、当該特許請求の範囲に記載された技術範囲内であれば、種々の変形が可能であることは云うまでもない。
【００４８】
例えば、本発明は、ＰＯＳ端末に限らず、稼動に伴って異常温度となった場合に、誤作動、データの損失、故障、寿命の短命化を引き起こしえる電子機器全般に適用可能である。とりわけ、そのユーザが不特定多数であったり、機器の保守に慣れていない者であることが想定されるような産業機器への適用が好適である。
【図面の簡単な説明】
【００４９】
【図１】本発明の実施形態によるＰＯＳ端末を有するＰＯＳシステムのブロック図である。
【図２】本発明の実施形態によるＰＯＳ端末のブロック図である。
【図３】本発明の実施形態によるＰＯＳ端末の動作を説明するためのフロー図である。
【図４】注意メッセージの表示例を示す図である。
【図５】警告メッセージの表示例を示す図である。
【図６】警告メッセージ（深刻状態）の印刷例を示す図である。
【図７】本発明の実施形態によるＰＯＳ端末に記憶される温度ログの例を示す図である。
【符号の説明】
【００５０】
１０    ＰＯＳホスト
２０    ＰＯＳ端末
２１    制御部
２２    メモリ
２３    記憶部
２４    表示部
２５    印刷部
２６    温度センサ
【図１】
2008186387.tif 000003
【図２】
2008186387.tif 000004
【図３】
2008186387.tif 000005
【図４】
2008186387.tif 000006
【図５】
2008186387.tif 000007
【図６】
2008186387.tif 000008
【図７】
2008186387.tif 000009